(57)【要約】【課題】  目を保護することができる計算機を提供する。【解決手段】  計算機は、本体１０、ＬＣＤ表示パネル２０、スパッタリング層３０および蛍光層４０を備えている。本体１０上には複数のボタン１３が設置され、ＬＣＤ表示パネル２０の底面下には、鏡面反射効果および光透過性を有するスパッタリング層３０が形成されている。スパッタリング層３０下には、特定の色をもち不透明の材質から構成された蛍光層４０が貼付されている。これによりＬＣＤ表示パネル２０とその表示との高コントラスト視覚効果を高めつつ、ＬＣＤ表示パネル２０に浮き上がるＬＣＤ字型の薄い痕を少なくすることができ、その表示下に浮き上がる重なった残像を減らし、長時間使用する時には、目を保護する効果を達成することができる。【選択図】図２
0003179062.tif 000002
【実用新案登録請求の範囲】
【請求項１】
本体、ＬＣＤ表示パネル、スパッタリング層および蛍光層を備え、
前記本体は、正面、及び前記正面と相対する背面を有し、前記正面には、複数のボタンが設置され、
前記ＬＣＤ表示パネルは、前記本体の前記正面に設置され、
前記ＬＣＤ表示パネルのうち相対する両表面は、上表面と底面とにそれぞれ区分され、
前記スパッタリング層は、前記ＬＣＤ表示パネルの前記底面下に形成され、鏡面反射効果と光透過性とを有し、
前記スパッタリング層のうち相対する両表面は、付着面と底面とにそれぞれ区分され、
前記蛍光層は、前記スパッタリング層の前記底面下に貼付され、不透明の材質から構成され、特定の色がついていることを特徴とする計算機。
【請求項２】
前記蛍光層は、オレンジ色であることを特徴とする請求項１に記載の計算機。
【請求項３】
前記蛍光層は、蛍光紙から構成されていることを特徴とする請求項１に記載の計算機。
【考案の詳細な説明】
【技術分野】
【０００１】
本考案は計算機に関する。
【背景技術】
【０００２】
一般の計算機は、通常、本体にＬＣＤ表示パネルと複数のボタンをそれぞれ結合し、使用者の入力値および演算後の数字と符号を表示し、使用者が演算の用途に用いることができる。
【考案の概要】
【考案が解決しようとする課題】
【０００３】
しかし、従来の計算機のＬＣＤ表示パネルには、数字や符号を表示しない部分において、しばしばＬＣＤ字型の薄い痕が出現し、残像が重なる場合がある。上記痕および残像は、使用者の視覚の混乱を招く。
さらに、長時間使用する時には、上記痕および残像が眼精疲労の原因となる。
本考案は、上述の点に鑑みてなされたものであり、その目的は、目を保護することができる計算機を提供することである。
【課題を解決するための手段】
【０００４】
本考案は、本体およびＬＣＤ表示パネルを備えている。本体は、正面、及び正面と相対する背面を有し、正面には複数のボタンが設置されている。ＬＣＤ表示パネルの相対する両表面は、上表面と底面にそれぞれ区分されており、ＬＣＤ表示パネルの底面下にはスパッタリング層が形成されている。スパッタリング層は鏡面反射効果および光透過性を有している。スパッタリング層の相対する両表面は付着面と底面にそれぞれ区分されている。スパッタリング層の底面下には蛍光層が貼付されている。蛍光層は、不透明の材質から構成され、特定の色がついている。
【０００５】
したがって、本考案によれば、蛍光層の蛍光色彩を通して、ＬＣＤ表示パネルとその表示の高コントラスト視覚効果を高めつつ、ＬＣＤ表示パネルの表示輝度を低下させない。また、蛍光層には特定の色がついているため、ＬＣＤ表示パネルに浮き上がるＬＣＤ字型の薄い痕を少なくすることができる。また、スパッタリング層の鏡面反射効果により、広角表示が可能であり、表示下に浮き上がる重なった残像を減らすことができる。これにより使用者は余計な影像による干渉を受けて不快に感じることがなくなる。そのため、長時間使用しても眼精疲労を招かないため、目を保護することができる。
【図面の簡単な説明】
【０００６】
【図１】本考案の一実施形態による計算機の組合せ斜視図である。
【図２】本考案の一実施形態による計算機の分解斜視図である。
【図３】本考案の一実施形態による計算機の表示部分の局部断面図である。
【考案を実施するための形態】
【０００７】
以下に図面を参照しながら本考案を実施するための最良の形態について詳細に説明する。
（一実施形態）
本考案の一実施形態による計算機の組合せ斜視図である図１に示すように、計算機は、本体１０、ＬＣＤ表示パネル２０、スパッタリング層３０および蛍光層４０を備えている。
【０００８】
本体１０は、正面１１、及び正面１１と相対する背面１２を有し、正面１１には、複数のボタン１３が設置されている。
【０００９】
図１の計算機の分解斜視図、及び表示部分の局部断面図である図２および図３に示すように、ＬＣＤ表示パネル２０は、本体１０の正面１１に設置されている。ＬＣＤ表示パネル２０の相対する両表面は、上表面２１と底面２２とに区分される。
【００１０】
スパッタリング層３０は、ＬＣＤ表示パネル２０の底面２２下に形成されている。スパッタリング層３０の相対する両表面は、付着面３１と底面３２とに区分される。スパッタリング層３０は、鏡面反射効果および光透過性を有している。
【００１１】
蛍光層４０は、蛍光紙で、スパッタリング層３０の底面３２下に貼付されている。蛍光層４０は、不透明であり、特定の色がついている。
本実施形態では、蛍光紙はオレンジ色であるが、これは一例に過ぎず、本考案の他の実施形態ではオレンジ色以外の色であってもよい。たとえば、緑色、白色、ライトブルー、またはピンク色などを選択することができる。
【００１２】
図１および図２に示すように、本体１０の正面１１上には、複数のボタン１３が設置されている。これにより、使用者は、ボタン１３を操作して入力可能である。
また、本体１０の正面１１上には、ＬＣＤ表示パネル２０が設置されている。これにより、使用者の入力および演算後の数字と符号の表示を行うことができる。
【００１３】
ＬＣＤ表示パネル２０の底面２２下には、スパッタリング層３０が形成されている。スパッタリング層３０は、鏡面反射効果および光透過性を有している。これにより、ＬＣＤ表示パネル２０がさまざまな視角において表示する時、表示下に浮き上がる重なった残像を減らすことができる。
【００１４】
また、スパッタリング層３０の底面３２下には、蛍光層４０が貼付されている。蛍光層４０は、不透明なオレンジ色の蛍光紙であり、使用者の目にとって比較的快適な目を保護する色である。
スパッタリング層３０が有する光透過性により、蛍光層４０の色とＬＣＤ表示パネル２０の表示とが高コントラストの視覚効果を生じる。そのため、蛍光層４０の色を通して、ＬＣＤ表示パネル２０に浮き上がるＬＣＤ字型の薄い痕を少なくすることができる。
また、蛍光層４０及びスパッタリング層３０は共に、ＬＣＤ表示パネル２０の底面２２下に設置され、ＬＣＤ表示パネル２０の上を覆うわけではため、ＬＣＤ表示パネル２０が表示する字幕輝度を低下させることはない。
【００１５】
本発明は、上述した実施形態に限定されるものではなく、発明の趣旨を逸脱しない範囲で種々の形態で実施可能である。
【００１６】
本考案は新規性を備え、従来の同類製品に比べ十分な進歩を有し、実用性が高く、社会のニーズに合致しており、産業上の利用価値は非常に大きい。
【符号の説明】
【００１７】
１０・・・本体
１１・・・正面
１２・・・背面
１３・・・ボタン
２０・・・ＬＣＤ表示パネル
２１・・・上表面
２２・・・底面
３０・・・スパッタリング層
３１・・・付着面
３２・・・底面
４０・・・蛍光層
【図１】
0003179062.tif 000003
【図２】
0003179062.tif 000004
【図３】
0003179062.tif 000005